(57)【要約】【課題】小型船舶に取り付けることによって、海や湖や河川や池等での航行中や停泊中も、波や風によって揺れる船体を安定させることができるとともに、浅瀬を航行したり、浅瀬に停泊したりすることができる小型船安定装置を提供することにある。【解決手段】船底８の前後方向に形成する細長開口部１７に挿入して上下移動可能に設けるキール２と、キール２を吊って上下移動させる吊り部材３と、吊り部材３を滑車１５，１６を介して船上で支持する支持部４と、吊り部材３を介してキール２を上下移動させるキール上下動手段５とを備えている。【選択図】  図２
0003107972.tif 000002
【実用新案登録請求の範囲】
【請求項１】
小型船に設ける小型船安定装置であって、船底の前後方向に形成する細長開口部に挿入して上下移動可能に設けるキールと、キールを吊って上下移動させる吊り部材と、吊り部材を滑車を介して船上で支持する支持部と、吊り部材を介してキールを上下移動させるキール上下動手段とを備えていることを特徴とする小型船安定装置。
【請求項２】
船底上のキールの位置以外の船首寄りまたは／および船尾寄りの箇所に設ける、駆動装置によって回転する回転板を備えたことを特徴とする請求項１記載の小型船安定装置。
【請求項３】
船体の両側に伸縮できる伸縮杆または支持杆を介して船体の両側に沿うようにして設ける１対の浮き体を備えたことを特徴とする請求項１または２記載の小型船安定装置。
【考案の詳細な説明】
【技術分野】
【０００１】
本考案は、主に総トン数２０トン未満の小型船舶に取り付けて使用し、或いは総トン数２０トン以上の小型船舶にも取り付けて使用できる小型船安定装置に関するものである。
【背景技術】
【０００２】
一般に海や湖等で船釣りを楽しむ場合には、船外機を搭載した小型船（釣り船等）に乗って釣りに出かけ、所望ポイントに着いたら船を泊めて船上から釣り糸を垂らして釣りを行っている。そしてそのポイントで釣果が上がらない場合には別の場所に移動して釣りを続けている。
【０００３】
しかし、停泊して釣りをしている際に、風が吹いて波高になってきたり、他の船が近くを航行して行った場合に、船体が大きく揺れて不安定な状態になることが多々ある。そのため乗船者は不安になったり、また船酔いする人も出てきて、いつも楽しく釣りを楽しめるとは限らなかった。また、乗船時や下船時に、或いは船上を移動したりした場合に、船が揺れて不安定になり、時にはバランスを崩し船上で倒れて怪我をすることもあり、最悪の場合には海等に落ちることもあった。
【考案の開示】
【考案が解決しようとする課題】
【０００４】
本考案は、上記のような点に鑑みて開発されたものであり、その目的とするところは、小型船舶に取り付けることによって、海や湖や河川や池等での航行中や停泊中も、波や風によって揺れる船体を安定させることができるとともに、浅瀬を航行したり、浅瀬に停泊したりすることができる小型船安定装置を提供することにある。
【課題を解決するための手段】
【０００５】
請求項１記載の本考案は、小型船に設ける小型船安定装置であって、船底の前後方向に形成する細長開口部に挿入して上下移動可能に設けるキールと、キールを吊って上下移動させる吊り部材と、吊り部材を滑車を介して船上で支持する支持部と、吊り部材を介してキールを上下移動させるキール上下動手段とを備えていることを特徴とする小型船安定装置である。
【０００６】
また、請求項２記載の本考案は、請求項１記載の小型船安定装置の構成において、船底上のキールの位置以外の船首寄りまたは／および船尾寄りの箇所に設ける、駆動装置によって回転する回転板を備えたことを特徴とする小型船安定装置である。
【０００７】
また、請求項３記載の本考案は、請求項１または２記載の小型船安定装置の構成において、船体の両側に伸縮できる伸縮杆または支持杆を介して船体の両側に沿うようにして設ける１対の浮き体を備えたことを特徴とする小型船安定装置である。
【考案の効果】
【０００８】
本考案の小型船安定装置は、釣り船等の小型船に設けることによって、風の強い波の高い日の航行中や停泊中には、キールを船底の細長開口部から水中に下ろすことによって、船体の横流れや揺れ・傾きを抑え、安定して航行したり停泊したりすることができる。そのため、大きく揺れたり傾いたりすることなく安心して釣り等を楽しむことができ、また、船酔いの防止にも寄与することができる。また、浅い湾内や浅瀬に入り込んで行く場合には、キール上下動手段によってキールを引き上げることにより、浅瀬等にも入って行けて、問題なく浅瀬等を航行したり停泊したりすることができる。そのため、あまり深度を気にすることなく所望の場所に船を移動させることができる。
【０００９】
また、キールを引き上げての停泊中や航行中,或いは乗船時や下船時に、駆動装置を駆動させて回転板を回転させることにより、船体の揺れのバランスをとって船体の揺れや傾きを抑えて船体を安定させることができる。したがって、安心して釣りを楽しんだり、船上での作業をしたり、乗船・下船をすることができる。
【００１０】
また、１対の浮き体を船体の両側に取り付けることによって、船体をより安定させることができる。
【考案を実施するための最良の形態】
【００１１】
以下、本考案を実施するための最良の形態を図に基いて説明する。
図１〜図５は本考案にかかる一例の小型船安定装置を取り付けた小型船を示す説明図である。この例の小型船安定装置１は、キール２と、キール２を吊る吊り部材３と、吊り部材３を支持する支持部４と、キール上下動手段５とを少なくとも備えた構成からなるものである。
【００１２】
より具体的に説明すると、図示の小型船安定装置１におけるキール２は、キール部２ａとウエイト部２ｂとからなり、鋳鉄または鉛鋳物或いはこれらの組み合わせ材等によって一体形成されていて、船体７の重心位置を低く保ち大きなヒール角度に対して復元性を確保し、船体７の横流れを防ぐとともに転覆を防止する機能を有している。
【００１３】
このキール２を船体７に取り付けて引き上げた場合には、キール部２ａは殆ど船体７内に収納され、ウエイト部２ｂは船底８の外に出た状態となる。キール部２ａは、Ｔ形状に形成されていて、上部の両側の係止部９が船底８に開けた後述する開口部１７の縁部に係止し、船体７から抜け落ちないようにしてある。
【００１４】
次にキール２を吊る吊り部材３は、この例では２本のワイヤーが使用されている。勿論、吊り部材３はロープやチエーンであってもよい。各吊り部材３の一端部３ａは、キール２のそれぞれの係止部９に結び付けてある。この吊り部材３によってキール２はバランスよく吊下げられ、後述するキール上下動手段５によって昇降される。
【００１５】
上記の吊り部材３を支持する支持部４は、この例では門形の支持枠１２と、支持枠１２の支持軸部１２ａの２箇所に回転自在に設けられた２つのプーリ１３、１４と、各吊り部材３をそれぞれキール上下動手段５に導く２つの滑車１５，１６とからなる。
【００１６】
上記の両プーリ１３、１４の間隔は、各吊り部材３をキール２に結び付けた間隔と同一である。一端部３ａをキール２に結び付けた各吊り部材３は、対応するそれぞれのプーリ１３、１４と滑車１５，１６に掛けてキール上下動手段５側に導かれる。
【００１７】
各滑車１５，１６は、支持枠１２の所定箇所に取り付け、プーリ１３、１４を介して下方に垂れ下がる各吊り部材３を水平方向に導く。
【００１８】
キール上下動手段５は、各吊り部材３を手動で同時に巻き取るドラム５ａと、ドラム５ａを底板１８上で回転自在に支持するブラケット５ｂと、ドラム５ａを回すラチェット式ハンドル（図示省略）とからなる。各上記の各吊り部材３の他端部は、ドラム５ａに固定する。
勿論、ドラムは、電動装置によって回転制御できるものであってもよく、また、各吊り部材３をそれぞれ巻き取る一対のドラムであってもよい。
【００１９】
このような構成からなる本考案にかかる小型船安定装置１を船体７に取り付ける場合は、船底８および底板１８のほぼ中央部で、船首３１と船尾３２の方向にキール部２ａを挿入できる縦長の開口部１７を開け、この開口部１７からキール部２ａを外から船体内に挿入する。
【００２０】
一方、門形の支持枠１２は、開口部１７を開けた底板１８の上に、開口部１７を船首３１と船尾３２の方向に跨ぐようにして、船底８の上方に取り付けた底板１８に固定する。そして、キール２の各係止部９に一端部を結び付けた各吊り部材３を支持軸部１２ａの対応する各プーリ１３，１４に掛けるとともに、底板１８に係止した各滑車１５、１６に各吊り部材３を引っ掛けて、各吊り部材３の他端部をキール上下動手段５のドラム５ａに固定する。
【００２１】
このようにしてキール２は、各吊り部材３、支持部４を介してキール上下動手段５によって昇降できるように船体７に取り付ける。
【００２２】
また、支持枠１２等の支持部４とともに、昇降させるキール２を覆うカバー体１０は、底底８に取り付ける。このカバー体１０は、下部側を細長い長方形状に開口形成された中空なる幅の狭い直方体形状のものであり、各吊り部材３をドラム５ａ側に導けるように船尾３２側の下部に開口部１９を形成してある。また、カバー体１０の両側部１０ａには、上下方向に所定間隔を以って複数箇所（図示の場合はカバー体１０の前寄りと後寄りの１２箇所、すなわちカバー体１０の前寄りの対峙する３箇所と、後寄りの対峙する３箇所）に、貫通孔２０を有し、その各貫通孔２０の外側にナット２１を固定するとともに、各ナット２１にボルト２２を取り付けてある。キール２を昇降させて所望位置で固定する場合に、ドラム５ａは上記したラチェット式ハンドルによって回転しないようにしてキール２の自然降下を防止するが、さらに上記した対峙する各ボルト２２によって所望位置でキール２を挟んで固定し、より確実にキール２の自然降下を防止する。
【００２３】
さらに、図示の例の小型船安定装置１は、駆動装置２３によって回転する回転板２４を備えている。すなわち、駆動装置２３は、船体７のキール２の取り付け位置以外の船首３１寄りの底板１８の上に取り付けられている。また、回転板２４は、軸受２６、回転軸２５を介して底板１８上に水平に取り付けられている。回転軸２５の上部にはプーリ２７が固定され、ベルト２８を介して上記の駆動装置２３に連結されている。回転板２５は駆動装置２３を駆動させることにより回転する。
【００２４】
また、図４、図５に示すように、船体７をより安定させるために、船体７の両側に沿うようにして１対の浮き体２９を、左右(船体の両側)に出し入れできる伸縮杆３０、または支持杆（図示省略）を介して取り付けてもよい。浮き体２は、中に空気の入ったフェンダーや、発泡樹脂によって成形された小型船形状のものである。海上等で揺れる船体７を安定させる場合には、図示の場合であれば伸縮杆３０を引き伸ばして船体７の両側の外に出し、両浮き体２でバランスをとって船体７を安定させる。航行する場合は、伸縮杆３０を船体内に引き戻して各浮き体２９を船体７の両側に沿わせて航行すればよい。浮き体２９を使用することにより、船体７をより安定させることができる。
【００２５】
上述した小型船安定装置１を取り付けた小型船６を海上等で航行する場合は、ラチェット式のハンドルを回してドラム５ａを回転させ、キール２を引き上げてウエイト部２ｂを船底８の傍に位置させ、極力抵抗を少なくして航行すればよい。そして海上等が荒れて波高になってきた場合には、抵抗は増すがキール２を下ろして船体７を安定させて航行すればよい。また、海上等に停泊して釣りを行う場合もキール２を下ろし、風や波による船体７の揺れや傾きを極力防いで釣りをすれば、あまり揺れることもなく安心して釣り等を楽しむことができる。また、船酔いも防止することができる。
【００２６】
また、浅瀬を航行したり、浅瀬に停泊する場合は、キール２を上げることによって問題なく航行したり停泊したりすることができる。この場合、キール２を上げているので船体７は不安定な状態となり、また他の航行する船による波や、風や波の影響により、或いは人が船体内を移動した場合には、揺れたり傾いたりして不安定な状態となるが、このような場合には駆動装置２３を駆動させて回転板２４を回転させることにより、船体７を安定させることができる。
【００２７】
なお、本考案の小型船安定装置は、図示の例のものに限定されるものではなく、回転板２４を回転軸２５に２枚以上取り付けた構成であってもよい。また、駆動装置２３によって回転する回転板２４を船尾寄りに取り付けてもよいし、船首寄りと船尾寄りの両方に取り付けてもよい。また、本考案の小型船安定装置は、大型船舶に取り付けてもよい。
【図面の簡単な説明】
【００２８】
【図１】本考案の小型船安定装置を取り付けた一例の小型船を示す説明図である。
【図２】本考案の小型船安定装置を取り付けた一例の小型船を示す縦断面を示す説明図である。
【図３】本考案の小型船安定装置を取り付けた一例の小型船を示す一横断面を示す説明図である。
【図４】本考案の小型船安定装置にかかる浮き体を取り付けた一例の小型船において、浮き体を船体の両側に沿わせた状態を示す説明図である。
【図５】本考案の小型船安定装置にかかる浮き体を取り付けた一例の小型船において、浮き体を船体の両側の外に出した状態を示す説明図である。
【符号の説明】
【００２９】
１      小型船安定装置
２      キール
３      吊り部材
４      支持部
５      キール上下動手段
６      小型船
８      船底
１５    滑車
１６    滑車
１７    細長開口部
２３    駆動装置
２４    回転板
【図１】
0003107972.tif 000003
【図２】
0003107972.tif 000004
【図３】
0003107972.tif 000005
【図４】
0003107972.tif 000006
【図５】
0003107972.tif 000007